(57)【特許請求の範囲】
【請求項１】
電子部品が配置された電気基板を内蔵する電子部品内蔵カードであって、
前記電気基板上に配置され、ドーム部及び前記ドーム部の周囲の周縁部を有するドームスイッチと、
前記ドームスイッチよりも大きな平面形状を有し、前記ドームスイッチよりも上側に配置されたカバーと、
前記カバー及び前記電気基板と、前記カバー及び前記電気基板よりも上側の上層との間を接着する接着層と、
前記カバーと、前記ドーム部上面の一部とを接着するカバー−ドーム間接着部と、
前記ドームスイッチよりも外側に配置され、前記カバーと、前記電気基板とを接着するカバー−電気基板間接着部とを備え、
前記カバー−ドーム間接着部は、前記カバー下面全面に設けられた接着部を枠状のシートで覆い、前記カバー下面全面に設けられた前記接着部の一部を前記シートから露出させて形成されること、
を特徴とする電子部品内蔵カード。
【請求項２】
電子部品が配置された電気基板を内蔵する電子部品内蔵カードであって、
前記電気基板上に配置され、ドーム部及び前記ドーム部の周囲の周縁部を有するドームスイッチと、
前記ドームスイッチよりも大きな平面形状を有し、前記ドームスイッチよりも上側に配置されたカバーと、
前記カバー及び前記電気基板と、前記カバー及び前記電気基板よりも上側の上層との間に充填後に厚み方向に加圧されることにより積層され、前記カバー及び前記電気基板と、前記上層との間を接着する接着層と、
前記カバーと、前記ドーム部上面の一部とを接着するカバー−ドーム間接着部と、
前記ドームスイッチよりも外側に配置され、前記カバーと、前記電気基板とを接着するカバー−電気基板間接着部とを備え、
カード上面のうち前記ドーム部に対応した部分が押圧されることにより、
前記上層、前記接着層及び前記カバーが変形し、
前記カバーの変形に応じて、前記ドーム部が前記電気基板側に変形し、前記電気基板に接触し、
前記ドームスイッチの前記周縁部は、
スイッチ操作されていない状態では、前記電気基板との間に隙間を有し、
スイッチ操作されている過程で、前記電気基板に向けて降下して、前記電気基板に接すること、
を特徴とする電子部品内蔵カード。
【請求項３】
請求項２に記載の電子部品内蔵カードにおいて、
前記カバー−ドーム間接着部は、前記ドームスイッチの頂点部に孔部を有する円環の枠状であること、
を特徴とする電子部品内蔵カード。
【請求項４】
請求項１から請求項３のいずれかに記載の電子部品内蔵カードにおいて、
前記カバーは、平板状であること、
を特徴とする電子部品内蔵カード。
【請求項５】
請求項１から請求項４のいずれかに記載の電子部品内蔵カードにおいて、
前記カバー−ドーム間接着部の接着領域の外形は、前記ドーム部の外形よりも小さいこと、
を特徴とする電子部品内蔵カード。
【請求項６】
請求項１から請求項５のいずれかに記載の電子部品内蔵カードにおいて、
前記ドーム部は、前記ドーム部の外形から前記カバー−ドーム間接着部の接着領域までの領域が拘束されていないこと、
を特徴とする電子部品内蔵カード。
【請求項７】
請求項１から請求項６のいずれかに記載の電子部品内蔵カードにおいて、
前記カバー−電気基板間接着部は、前記ドームスイッチを囲うように配置され、内部空間を有する枠体であること、
を特徴とする電子部品内蔵カード。
【発明の詳細な説明】
【技術分野】
【０００１】
本発明は、ドームスイッチを内蔵した電子部品内蔵カードに関する。
【背景技術】
【０００２】
従来、スイッチ部、表示部を備え、ワンタイムパスワードを表示したり、ＩＣチップに記録された内容を確認できるＩＣカードがあった（例えば、特許文献１）。このタイプのＩＣカードは、電気基板上のスイッチ部と、カード面のカバー材である樹脂フィルム層との間に粘着剤層が形成され、粘着剤層がスイッチ部に粘着している。
このため、従来のＩＣカードは、カード面から押下してスイッチ部を操作する場合に、良好なクリック感を得られなかった。
【先行技術文献】
【特許文献】
【０００３】
【特許文献１】特開２００８−２９９７８３号公報
【発明の概要】
【発明が解決しようとする課題】
【０００４】
本発明は、ボタンのクリック感が良好な電子部品内蔵カードを提供することを目的とする。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。【０００６】
・第１の発明は、
電子部品が配置された電気基板（１１）を内蔵する電子部品内蔵カードであって、
前記電気基板上に配置され、ドーム部（３１ｂ）及び前記ドーム部の周囲の周縁部（３１ｃ）を有するドームスイッチ（３１）と、
前記ドームスイッチよりも大きな平面形状を有し、前記ドームスイッチよりも上側に配置されたカバー（４０，３４０，４４０，５４０）と、
前記カバー及び前記電気基板と、前記カバー及び前記電気基板よりも上側の上層（２１）との間を接着する接着層（２４）と、
前記カバーと、前記ドーム部上面の一部とを接着するカバー−ドーム間接着部（４１，２４１，３４１，４４１，５４１）と、
前記ドームスイッチよりも外側に配置され、前記カバーと、前記電気基板とを接着するカバー−電気基板間接着部（４２，３４２，４４２，５４２）とを備えること、
を特徴とする電子部品内蔵カードである。
・第２の発明は、
第１の発明の電子部品内蔵カードにおいて、
前記ドームスイッチ（３１）の前記周縁部（３１ｃ）は、
スイッチ操作されていない状態では、前記電気基板（１１）との間に隙間を有し、
スイッチ操作されている過程で、前記電気基板に向けて降下して、前記電気基板に接すること、
を特徴とする電子部品内蔵カードである。
・第３の発明は、
第１又は第２の発明の電子部品内蔵カードにおいて、
前記カバー−ドーム間接着部（４１，２４１，３４１，４４１，５４１）の接着領域の外形は、前記ドーム部の外形よりも小さいこと、
を特徴とする電子部品内蔵カードである。
・第４の発明は、
第１から第３のいずれかの発明の電子部品内蔵カードにおいて、
前記ドーム部は、前記ドーム部（３１ｂ）の外形から前記カバー−ドーム間接着部（４１，２４１，３４１，４４１，５４１）の接着領域までの領域（Ａ１）が拘束されていないこと、
を特徴とする電子部品内蔵カードである。
・第５の発明は、第１から第４のいずれかの発明の電子部品内蔵カードにおいて、
前記カバー−電気基板間接着部（４２，３４２，５４２）は、前記ドームスイッチ（３１）を囲うように配置され、内部空間（４２ａ）を有する枠体であること、
を特徴とする電子部品内蔵カードである。
・第６の発明は、第１から第５のいずれかの発明の電子部品内蔵カードにおいて、
前記カバー−ドーム間接着部（４１，４４１，５４１）は、前記ドームスイッチ（３１）の頂点部に孔部を有する枠状であること、
を特徴とする電子部品内蔵カードである。
・第７の発明は、第１から第５のいずれかの発明の電子部品内蔵カードにおいて、
前記カバー−ドーム間接着部（４１，２４１，４４１，５４１）は、前記ドームスイッチ（３１）の頂点部を避けて、配置されていること、
を特徴とする電子部品内蔵カードである。
・第８の発明は、第１から第５のいずれかの発明の電子部品内蔵カードにおいて、
前記カバー−ドーム間接着部（３４１）は、前記カバー（３４０）下面全面に設けられた接着部（３４１ａ）を枠状のシート（３４３，８４３）で覆い、前記接着部の一部を前記シートから露出させて形成されること、
を特徴とする電子部品内蔵カードである。【０００７】
・第９の発明は、
電子部品（１２等）が配置された電気基板（１１）を備え、電子部品内蔵カード（２０）に内蔵されるアッセンブリであって、
前記電気基板上に配置され、ドーム部（３１ｂ）及び前記ドーム部の周囲の周縁部（３１ｃ）を有するドームスイッチ（３１）と、
前記ドームスイッチよりも大きな平面形状を有し、前記ドームスイッチよりも上側に配置されたカバー（４０，３４０，４４０，５４０）と、
前記カバーと、前記ドーム部上面の一部とを接着するカバー−ドーム間接着部（４１，２４１，３４１，４４１，５４１）と、
前記ドームスイッチよりも外側に配置され、前記カバーと、前記電気基板とを接着するカバー−電気基板間接着部（４２，３４２，４４２，５４２）とを備えること、
を特徴とするアッセンブリである。
【発明の効果】
【０００８】
本発明によれば、ボタンのクリック感が良好な電子部品内蔵カード、アッセンブリを提供できる。
【図面の簡単な説明】
【０００９】
【図１】第１実施形態の電子モジュール１０の平面図、側面図、カード２０の外観図である。
【図２】第１実施形態のボタン部３０近傍の構成を説明する図である。
【図３】第１実施形態のボタン部３０の動作を説明する断面図である。
【図４】比較例のボタン部１３０の動作を説明する断面図である。
【図５】第１実施形態のカード製造工程を説明する断面図である。
【図６】第２実施形態のボタン部２３０近傍の構成を説明する図である。
【図７】第３実施形態のボタン部３３０近傍の構成を説明する図である。
【図８】第４実施形態のボタン部４３０近傍の構成を説明する図である。
【図９】第５実施形態のボタン部５３０近傍の構成を説明する図である。
【図１０】第６実施形態のボタン部６３０近傍の構成を説明する図である。
【図１１】第７実施形態のボタン部７３０近傍の構成を説明する図である。
【図１２】第８実施形態のボタン部８３０近傍の構成を説明する図である。
【発明を実施するための形態】
【００１０】
（第１実施形態）
以下、図面等を参照して、本発明の第１実施形態について説明する。
実施形態では、表示部１２の表示面の法線方向を上下方向Ｚにして、電子モジュール１０等を見た図を、平面図という。また、平面図において、表示部１２の表示が正位置になるように電子モジュール１０等を見たときの左右方向をＸ、縦方向をＹという。また、平面図における形状を、適宜平面形状という。なお、各図面において、上下方向Ｚ（厚み方向）等の構成等は、明確に図示するために、適宜大きさを誇張する。
最初に、カード２０に内蔵される電子モジュール１０について説明する。
図１は、第１実施形態の電子モジュール１０の平面図、側面図、カード２０の外観図である。
図１（Ａ１）は、電子モジュール１０の平面図である。
図１（Ａ２）は、電子モジュール１０の断面図（図１（Ａ１）のａ２−ａ２部断面図）である。
図１（Ｂ１）は、カード２０の内部構成を示す平面図である。
図１（Ｂ２）は、カード２０の断面図（図１（Ｂ１）のｂ２−ｂ２部断面図）である。
【００１１】
電子モジュール１０は、カード２０（電子部品内蔵カード）の使用毎に認証パスワード（いわゆるワンタイムパスワード）を生成する機能を有する。なお、電子モジュール１０は、接触用端子、ループアンテナ等を設けて、外部機器（例えば、カードリーダ）との間で通信できるようにしてもよい。
電子モジュール１０は、電気基板１１、表示部１２、ボタン部３０、電池１４、ＩＣチップ１５を備える。
電気基板１１は、リジッド又はフレキシブルタイプのプリント配線基板である。本実施形態では、電気基板１１は、ポリイミドから形成されるフレキシブルタイプである。電気基板１１の厚みは、例えば厚さ１００μｍ程度である。電気基板１１には、表示部１２、ボタン部３０が実装され、また、電池１４が接続端子１４ａによって接続及び固定されている。
【００１２】
表示部１２は、認証パスワードを表示する表示装置である。表示部１２は、例えば、液晶ディスプレイ、電子ペーパディスプレイ等である。
ボタン部３０は、認証パスワードを生成する場合に、利用者が操作する押しボタンである。ボタン部３０は、操作情報をＩＣチップ１５に出力する。ボタン部３０の詳細は、後述する。
【００１３】
電池１４は、電子モジュール１０の表示部１２、ＩＣチップ１５等に電力を供給する部材である。
ＩＣチップ１５は、電子モジュール１０を制御する制御装置である。ＩＣチップ１５は、電池１４から電力を供給されて駆動する。ＩＣチップ１５は、電子モジュール１０の処理を制御する制御プログラム等を記憶した記憶装置（図示せず）を備える。
利用者によってボタン部３０が操作されると、ＩＣチップ１５は、ボタン部３０の出力に基づいて、認証パスワードを生成する。ＩＣチップ１５は、表示部１２を駆動して、この認証パスワードを表示する。
【００１４】
図１（Ｂ）に示すように、カード２０は、電子モジュール１０の認証パスワードを利用した認証式のカードであり、例えば、銀行のキャッシュカード、クレジットカード等である。
カード２０は、上シート２１（上層）、下シート２２（下層）、中基材２３、接着層２４、前述した電子モジュール１０を備える。
【００１５】
上シート２１は、電気基板１１よりも上側Ｚ２に積層され、カード２０の最上面に配置される樹脂シートである。上シート２１の厚さは、例えば１００〜２００μｍ程度である。
【００１６】
上シート２１は、透明な材料により形成されている。上シート２１には、窓部２１ａ、印刷層２１ｂが設けられている。
窓部２１ａは、印刷層２１ｂが設けられていない領域である。窓部２１ａは、表示部１２に対応する位置に設けられている。このため、利用者は、窓部２１ａを通して、表示部１２の表示内容を視認できる。
一方、印刷層２１ｂが設けられている領域では、印刷層２１ｂによりカード２０内部が隠蔽される。これにより、電子モジュール１０等の構造が、外部から視認できないようになっている。
【００１７】
下シート２２は、電気基板１１よりも下側Ｚ１に積層され、カード２０の最下面に配置される樹脂シートである。下シート２２の厚さは、例えば１００〜２００μｍ程度である。なお、下シート２２は、内部の電子モジュール１０を視認できないように、隠蔽可能な色彩を有する材料から形成されるか、又は上シート２１と同様に、透明な材料により形成され、下面に印刷層が設けられる。
【００１８】
中基材２３は、上シート２１及び下シート２２に挟まれるように配置されている。中基材２３は、例えば、塩化ビニルやＰＥＴ、ＰＥＴ−Ｇなどのポリエステルの樹脂シートである。中基材２３の厚さは、例えば４００〜６００μｍ程度である。中基材２３の枠内部は、電子モジュール１０を配置する開口孔になっている。電子モジュール１０は、数枚のテープ１１ｂを用いて中基材２３に仮固定される。
【００１９】
接着層２４は、接着材を、中基材２３の枠内部に充填されて形成されることにより、電子モジュール１０を枠内部に保持する。電気基板１１の上側の接着層２４は、電気基板１１及び上シート２１間を接着する。なお、カバー４０（図２（Ｂ）参照）が存在する領域では、接着層２４は、カバー４０及び上シート２１間を接着する。一方、電気基板１１の下側の接着層２４は、電気基板１１及び下シート２２間を接着する。
【００２０】
ボタン部３０の構成について詳細に説明する。
図２は、第１実施形態のボタン部３０近傍の構成を説明する図である。
図２（Ａ）は、ボタン部３０近傍の平面図（図２（Ｂ）のａ−ａ部断面図）である。
図２（Ｂ）は、ボタン部３０近傍の断面図（図１（Ｂ２）の矢印２ｂ部拡大図）である。
【００２１】
平面図において、ボタン部３０は、電気基板１１の配線パターン（図示せず）上に配置される。
ボタン部３０は、ドームスイッチ３１、カバー４０、内接着部４１（カバー−ドーム間接着部）、外接着部４２（カバー−電気基板間接着部）を備える。
ドームスイッチ３１は、導電性を有する金属により形成された、いわゆるメタルドームのスイッチである。ドームスイッチ３１は、ドーム状に形成されたドーム部３１ｂと、その全周につば部３１ｃ（周縁部）が形成されたような形状である。
ドームスイッチ３１は、電気基板１１の直上に配置される。平面図において、ドームスイッチ３１の中央のほぼ円形の内部は、上面が押されることにより電気基板１１側に変形して可動する可動部である（図３（Ｂ）参照）。以下、この可動部をスイッチ可動部３１ａという。
後述する内接着部４１の外形は、ドーム部３１ｂの外径よりも小さい。このため、ドーム部３１ｂの外径から内接着部４１の接着領域までの領域Ａ１は、接着剤等によって拘束されていない。
【００２２】
また、スイッチ可動部３１ａの下面は、電気基板１１に接触して、電気基板１１の配線パターン同士（図示せず）を短絡させる電気接点である。スイッチ可動部３１ａは、特定のストロークだけ電気基板１１側に変形すると、電気基板１１側に凹むように、さらに変形し、下面中央部が電気基板１１に接地するようになっている。このため、ドームスイッチ３１は、この変形時において、利用者の操作力が急激に減る。これにより、ドームスイッチ３１は、利用者に対してクリック感、すなわちボタンを押した感覚を与えることができる。
【００２３】
カバー４０は、ドームスイッチ３１よりも上側Ｚ２に配置された樹脂シート部材である。カバー４０の平面形状は、ドームスイッチ３１よりも大きく、外接着部４２の外形とほぼ等しい。
カバー４０は、柔軟な材料により形成されており、その剛性が、ドームスイッチ３１に比較すると、十分に小さいものを用いる。これは、ボタン部３０の操作力への影響を小さくするためである。
カバー４０の下面には、内接着部４１（カバー−ドーム間接着部）、外接着部４２（カバー−電気基板間接着部）が設けられている。
【００２４】
内接着部４１は、カバー４０及びドームスイッチ３１間を接着するための粘着材である。カバー４０及びドームスイッチ３１間のうち内接着部４１が設置されている領域は、両者間が実際に接着される接着領域である。内接着部４１は、例えば、基材を有する粘着シート、基材レス粘着シート等である。
内接着部４１の平面形状は、円環の枠状である。内接着部４１の外径は、ドーム部３１ｂの外径よりも小さく、ドーム部３１ｂ上面の一部のみに配置され、つば部３１ｃ上面には配置されない。内接着部４１の中心は、ドームスイッチ３１の中心と一致している。
このため、ドームスイッチ３１の頂点部には、内接着部４１の孔部が配置され、接着材が配置されないようになっている。また、内接着部４１は、カバー４０と、ドーム部３１ｂ上面の一部のみとを接着するようになっている。
【００２５】
これにより、ボタン部３０は、上下方向Ｚの高さを低くして、カード厚みを低減できる。すなわち、クレジットカード等のように、厚さが０．８ｍｍ程度の薄いものに、ドームスイッチを内蔵する場合には、ドームスイッチの頂点部の厚さをできるだけ低減する必要がある。このため、ドームスイッチの頂点部において、接着材の厚み（数μｍ〜数十μｍ程度）を削減するだけでも、カード厚み低減に、大きく貢献できる。
【００２６】
また、内接着部４１の外形は、ドームスイッチ３１の外形よりも小さい。このため、内接着部４１は、カバー４０と、ドームスイッチ３１上面の一部のみとを接着し、その接着面積が、十分に小さい。
【００２７】
外接着部４２は、カバー４０と、電気基板１１とを接着する部材である。外接着部４２は、枠状のシート基材の上面及び下面に両面テープを貼付したり、粘着材を塗布して形成される。外接着部４２は、これらの粘着材により、カバー４０の下面に接着され、また、電気基板１１の上面に接着される。
外接着部４２の形状は、内部に空間４２ａを有する枠体である。外接着部４２は、ドームスイッチ３１よりも外側に配置され、ドームスイッチ３１を囲うように配置されている。外接着部４２の空間４２ａには、接着層２４が充填されていない。
【００２８】
外接着部４２の厚みは、ドームスイッチ３１及び内接着部４１からなる厚みＬ１よりも大きい。このため、ボタン操作されていない状態では、ドームスイッチ３１は、電気基板１１との間に隙間を有し、電気基板１１から浮き上がった状態になっている。
このような状態でも、ドームスイッチ３１は、カバー４０に接着しているので、空間４２ａ内で自由に移動することはない。このため、ボタン操作毎のクリック感は、ばらつきが小さく安定する。
【００２９】
図３は、第１実施形態のボタン部３０の動作を説明する断面図である。
図３（Ａ）は、上シート２１上面のボタン対応領域２１ｃが押圧されて、上シート２１、接着層２４、カバー４０、ドームスイッチ３１が変形する状態を示す断面図である。
図３（Ｂ）は、ドームスイッチ３１がさらに変形した状態、つまりクリック時の状態を示す断面図である。
図３（Ｃ）は、ドームスイッチ３１、カバー４０の変形を説明する拡大図（図３（Ｂ）の矢印ｃ部拡大図）である。
図３（Ｄ）は、つば部３１ｃの変形を説明する拡大図（図３（Ｂ）の矢印ｄ部拡大図）である。
図４は、比較例のボタン部１３０の動作を説明する断面図である。
【００３０】
図３（Ａ）に示すように、利用者の指によってボタン対応領域２１ｃが押圧されると、つまり、スイッチ操作されると、上シート２１、接着層２４及びカバー４０が電気基板１１側に変形する。これにより、ドームスイッチ３１は、スイッチ操作されている過程で、電気基板１１側に降下し、つば部３１ｃが電気基板１１に接地する。
【００３１】
図３（Ｂ）に示すように、ボタン対応領域２１ｃがさらに押圧されると、上シート２１、接着層２４及びカバー４０が電気基板１１側に、さらに変形する。これにともない、スイッチ可動部３１ａは、電気基板１１側に降下し、特定の設定値分のストロークだけ変形すると、さらに変形し、クリック状態になる。
この場合、本実施形態は、比較例よりも良好なクリック感を得られることを、試作により確認した。これは、以下の作用によるためと考えられる。
【００３２】
前述したように、本実施形態のドームスイッチ３１は、上面の一部のみが内接着部４１を介してカバー４０に接着される形態であるため、変形時には、接着層２４の影響が小さい。つまり、ドームスイッチ３１は、面方向（図３（Ｃ）に示す矢印Ａ参照）及び上下方向Ｚにおいて、カバー４０に対してある程度自由に変形できる。そのため、ドームスイッチ３１は、接着層２４による拘束が小さい。
【００３３】
さらに、ドームスイッチ３１のつば部３１ｃは、電気基板１１に直接固定されない形態である。
図３（Ｄ）に示すように、このため、つば部３１ｃは、ドームスイッチ３１の変形にともない、電気基板１１から反り上がるように変形できる。
さらにまた、ドーム部３１ｂの領域Ａ１は、拘束されていない。このため、スイッチ可動部３１ａは、設計の狙い通りに変形しようとする。
このように、本実施形態のドームスイッチ３１は、変形時の拘束が小さいので、設計の設定に近いクリック感を得られると考えられる。
【００３４】
なお、試作は、種々の形態を作成した。試作は、例えば、ドーム部３１ｂの外径がφ６ｍｍ、内接着部４１の外径がφ４ｍｍとした形態でも、十分に良好なクリック感を得られた。
【００３５】
図４に示すように、一方、比較例のボタン部１３０は、カバー１４０の下面全面に接着部１４１が設けられている。ドームスイッチ１３１は、カバー１４０に覆われるようにして、電気基板１１１に取り付けられる。
このため、ドームスイッチ１３１の上面全面が、カバー１４０の接着部１４１に接着している。そのため、ドームスイッチ１３１は、変形時には、カバー１４０の拘束が大きく、カバー１４０に対して自由に変形することができないため、接着層１２４の拘束が大きくなってしまう。
さらに、ドームスイッチ１３１のつば部１３１ｃ周囲は、カバー１４０及び接着部１４１によって、電気基板１１１に対して固定されている。このため、ドームスイッチ１３１は、変形時には、電気基板１１１の拘束が大きくなってしまう。
これにより、比較例のドームスイッチ１３１は、自らの変形が拘束されることにより、クリック感が、設計の設定とは大きく異なってしまう。
【００３６】
次に、本実施形態のカード２０の製造方法について説明する。
図５は、第１実施形態のカード製造工程を説明する断面図である。
カード２０の製造は、製造機械、作業者等が以下の工程に従って行なう。以下、簡略して１枚のカード２０を製造する場合を説明するが、実際のカード製造は、多面付けにより行なう。
（１）ドーム配置工程
カバー４０下面の内接着部４１にドームスイッチ３１を予め接着して一体にし、これを電気基板１１に配置する（図２（Ｂ）参照）。このように一体にすることで、ドームスイッチ３１を電気基板１１上に配置する作業が簡単にできる。
外接着部４２は、カバー４０下面に予め接着しておいてもよいし、又は電気基板１１に予め接着しておいてもよい。
これにより、表示部１２等が実装された電気基板１１と、ドームスイッチ３１、カバー４０、接着部４１，４２とからなるアッセンブリが製造される（図１（Ａ）参照）。
（２）仮固定工程
図１（Ｂ）に示すように、電子モジュール１０を、数枚のテープ１１ｂを用いて、中基材２３に仮固定する。
（３）ラミネート工程
図５（Ａ）に示すように、上シート２１と電子モジュール１０及び中基材２３との間に、接着層２４に形成される接着材２４ａを充填し、同様に、下シート２２と電子モジュール１０及び中基材２３との間に、接着材２４ａを充填した積層体２０ａを形成する。この接着材２４ａには、充填可能な程度に、粘性が低い液状のものを用いる。
そして、この積層体２０ａを、ローラ６０ａ，６０ｂ間を通して、所定の厚さにするとともに、余分な接着材２４ａを外部に排出する。
なお、空間４２ａは、接着材等により密閉されているので、ラミネート工程における接着材２４ａの流入が抑制される。
【００３７】
（４）加圧保持工程（エージング）
図５（Ｂ）に示すように、上シート２１及び下シート２２をプレス板６１ａ，６２ｂで加圧して、積層体２０ａが変形しない程度に接着材２４ａが固着するまでの時間、保持する。
この加圧保工程において、外接着部４２は、ボタン部３０にかかる圧力の大部分を受け止める。このため、外接着部４２の内部の空間４２ａが維持され、ドームスイッチ３１は、電気基板１１から浮いた状態を維持でき、変形を抑制できる。
【００３８】
（５）加圧解放工程
プレス板６１ａ，６２ｂを駆動して、積層体２０ａを圧力から解放する。この場合、上記（４）での工程において、ドームスイッチ３１は、変形を抑制できているので、積層体２０ａを解放した場合、復元しようとすることはない。
このため、本実施形態の積層体２０ａ（カード２０）は、表面を平滑にでき、外観を向上できる。また、カード２０は、例えば、携行時に他のカードに積層された場合に、不用意なボタン操作を抑制できる。
その後、積層体２０ａは、カード外形で形打ち抜き加工され、最終形態であるカード２０が製造される。
【００３９】
一方、比較例のカードは、外接着部４２を有していない。このため、ラミネート工程、加圧工程等において、上シート１２１及び下シートにかかる圧力がドームスイッチ１３１の上面に加わり、スイッチ可動部１３１ａが下側Ｚ１に変形してしまう。この状態で、加圧解除工程において、上シート１２１及び下シートにかかる圧力を解放すると、復元力によってスイッチ可動部１３１ａが上側Ｚ２に変形し、上シート１２１の上面が盛り上がってしまう。
このため、比較例のカードは、外観が低下してしまう。
【００４０】
以上説明したように、本実施形態のカード２０は、カード厚みを薄くでき、また、クリック感を向上でき、さらに、製造時には、ドームスイッチ３１を電気基板１１上に配置する場合の工程が簡単であり、かつ、ボタン部３０の盛り上がりを抑制し、平坦に形成できる。
【００４１】
（第２実施形態）
次に、本発明の第２実施形態について説明する。
なお、以下の各実施形態の説明及び図面において、前述した第１実施形態と同様の機能を果たす部分には、同一の符号又は末尾（下２桁）に同一の符号を付して、重複する説明を適宜省略する。
図６は、第２実施形態のボタン部２３０近傍の構成を説明する図である（図２に相当する図）。
第２実施形態の内接着部２４１（カバー−ドーム間接着部）の平面形状は、矩形である。平面形状において、内接着部２４１は、ドームスイッチ３１の中心領域以外に、配置される。つまり、内接着部２４１は、ドームスイッチ３１の頂点部を避けて、配置される。このため、ドームスイッチ３１の頂点部には、第１実施形態と同様に、接着材が配置されないようになっている。
これにより、ボタン部２３０は、第１実形態と同様に、上下方向Ｚの高さを低くして、カード厚みを低減できる。その他の効果は、第１実形態と同様である。
【００４２】
なお、内接着部２４１の平面形状は、矩形に限定されずその他の形状（円形等）でもよい。
また、内接着部２４１がドームスイッチ３１の中心をずらして配置されるため、ドームスイッチ３１は、電気基板１１から傾いて浮きあがるように配置される場合がある。この場合でも、ドームスイッチ３１は、ボタン操作される場合には、つば部３１ｃが電気基板１１に接地するので、問題はない。
【００４３】
（第３実施形態）
次に、本発明の第３実施形態について説明する。
図７は、第３実施形態のボタン部３３０近傍の構成を説明する図である（図２に相当する図）。
カバー３４０の下面全面は、接着部３４１ａが設けられている。接着部３４１ａは、カバー３４０に両面テープを貼付したり、粘着材を塗布して形成される。
接着部３４１ａの下面には、円環シート３４３が接着されている。円環シート３４３自体は、粘着性を有さない。円環シート３４３の平面形状は、円環状（枠状）である。円環シート３４３の中心は、ドームスイッチ３１の中心に一致している。
内接着部３４１（カバー−ドーム間接着部）は、接着部３４１ａのうちこの円環シート３４３の孔部から露出した部分により形成される。内接着部３４１は、接着部３４１ａのうちドームスイッチ３１に実際に接着する接着領域である。
外接着部３４２の厚みは、ドームスイッチ３１の厚みＬ３０１より大きい。このため、ドームスイッチ３１は、第１実施形態と同様に、電気基板１１から浮き上がった状態になっている。
【００４４】
上記構成により、ドームスイッチ３１は、その頂点部が、円環シート３４３の孔部に露出した内接着部３４１に接着するようになっている。これにより、ドームスイッチ３１の上面の一部のみが、内接着部３４１に接着し、カバー３４０に保持される。
【００４５】
このように、ドームスイッチ３１は、その一部のみが内接着部３４１に接着されるので、第１実施形態と同様に、良好なクリック感を得ることができる。
【００４６】
（第４実施形態）
次に、本発明の第４実施形態について説明する。
図８は、第４実施形態のボタン部４３０近傍の構成を説明する図である。
図８（Ａ）は、内接着部４４１、外接着部４４２等の配置を説明する平面図である。
図８（Ｂ）は、ボタン部４３０近傍の断面図である。
第４実施形態の外接着部４４２は、厚さが十分に小さい。外接着部４４２の厚さは、例えば、内接着部４４１の厚さと、ほぼ同じである。
このため、カバー４４０は、内接着部４４１、外接着部４３２以外の領域では、ドームスイッチ３１にほぼ密着する。なお、図８（Ｂ）は、層構成を明確にするために、ドームスイッチ３１及びカバー４４０に隙間を有するように図示するが、この隙間は、実際には、ほとんどない。
【００４７】
このため、ボタン部４３０は、前述した実施形態のような空間４２ａ（図２（Ｂ）等参照）を有さない。
上記構成により、ドームスイッチ３１は、前述した実施形態と同様に、接着層２４に直接接着しておらず、また、一部のみがカバー４４０に接着されている。さらに、つば部３１ｃは、電気基板１１に接しているものの、電気基板１１に直接接着されていない。
このため、変形時において、ドームスイッチ３１は、前述した実施形態と同様に、カバー４０に対してある程度自由に変形できる（第１実施形態の図３（Ｃ）参照）。
これにより、ボタン部４３０は、良好なクリック感を得られるともに、カード厚みをさらに低減できる。
【００４８】
（第５実施形態）
次に、本発明の第５実施形態について説明する。
図９は、第５実施形態のボタン部５３０近傍の構成を説明する図である（図２に相当する図）。
第５実施形態では、外接着部５４２の厚さを、第１実施形態から変更した。
外接着部５４２の厚みＬ５０１は、ドームスイッチ３１、内接着部５４１からなる厚みよりも、若干小さい。このため、ボタン操作されていない状態であっても、カバー５４０のうちドームスイッチ３１の頂点部の領域５４０ａが、接着層２４側に突出するように湾曲している。
この場合でも、カード製造後には、カード上面が十分に平滑にできることを、試作により確認した。
これは、外接着部５４２は、厚みが小さくても、カード製造工程内の加圧時において、ドームスイッチ３１にかかる圧力を、ある程度低減できるためであると考えられる。
また、第１実施形態と同様に、つば部３１ｃは、拘束が小さい。このため、カード製造後には、ボタン部５３０のクリック感は、良好であることも確認した。
【００４９】
これにより、本実施形態のカードは、カード厚みをより低減できる。
なお、第２、第３実施形態も、本実施形態と同様に、外接着部の厚みを小さくしてもよい。この場合にも、本実施形態と同様な効果を奏することを期待できる。
【００５０】
（第６実施形態）
次に、本発明の第６実施形態について説明する。
第６実施形態のボタン部６３０は、第３実施形態の構成を変更したものである。
なお、第６実施形態の説明及び図面において、前述した第３実施形態と同様の機能を果たす部分には、同一の符号を適宜付して、重複する説明を適宜省略する。
図１０は、第６実施形態のボタン部６３０近傍の構成を説明する図である。
図１０（Ａ）は、ボタン部６３０が操作されていない状態を示す図である。
図１０（Ｂ）は、ボタン部６３０が操作された状態を示す図である。
【００５１】
図１０（Ａ）に示すように、ボタン部６３０は、第３実施形態から円環シート３４３を削除したものである。ボタン部６３０のその他の形態は、第３実施形態と同様である。
図１０（Ａ）、図１０（Ｂ）に示すように、内接着部３４１の大きさは、ボタン操作されていない状態と、ボタン操作された状態とでは異なる。
このため、ドーム部３１ｂの外径から内接着部３４１の接着領域までの領域Ａ１の大きさは、ボタン操作されていない状態と、ボタン操作された状態とでは異なる。ボタン部６３０の領域Ａ１の大きさは、ボタン操作された状態でも、十分に大きい。そのため、ボタン操作時において、ドーム部３１ｂの変形が容易である。これにより、ボタン部６３０は、良好なクリック感を、利用者に与えることができる。
【００５２】
なお、図１０（Ａ）、図１０（Ｂ）は、模式的な断面図である。このため、実際には、接着部３４１ａに撓みによって、ボタン操作されていない状態と、ボタン操作された状態とで、内接着部３４１の大きさの変化が、明確ではない場合も有りうる。この場合でも、ボタン操作された状態での領域Ａ１の大きさが十分に大きいので、ボタン部６３０は、良好なクリック感を、利用者に与えることができる。
【００５３】
（第７実施形態）
次に、本発明の第７実施形態について説明する。
第７実施形態のボタン部７３０は、第６実施形態の構成を変更したものである。
なお、第７実施形態の説明及び図面において、前述した第６実施形態と同様の機能を果たす部分には、同一の符号を適宜付して、重複する説明を適宜省略する。
図１１は、第７実施形態のボタン部７３０近傍の構成を説明する図である。
本実施形態は、接着部３４１ａの外形を、第６実施形態よりも小さくした。
接着部３４１ａの外径は、ドーム部３１ｂとほぼ同じである。
なお、外接着部３４２及びカバー３４０間は、第１実施形態と同様に、粘着材等により接着される。
【００５４】
本実施形態のドーム部３１ｂ及び内接着部３４１間が接着される態様（接着面積等）は、第６実施形態と同様である。このため、本実施形態のドーム部３１ｂの外径から内接着部３４１の接着領域までの領域Ａ１の大きさについても、第６実施形態と同様である。
これにより、本実施形態のボタン部７３０は、第６実施形態と同様に、良好なクリック感を、利用者に与えることができる。
【００５５】
（第８実施形態）
次に、本発明の第８実施形態について説明する。
第８実施形態のボタン部８３０は、第３実施形態の構成を変更したものである。
なお、第８実施形態の説明及び図面において、前述した第３実施形態と同様の機能を果たす部分には、同一の符号を適宜付して、重複する説明を適宜省略する。
図１２は、第８実施形態のボタン部８３０近傍の構成を説明する図である。
本実施形態は、円環シート８４３の外形を、第３実施形態よりも大きくした。
円環シート８４３の外形は、ドームスイッチ３１よりも大きい。円環シート８４３は、ドームスイッチ３１を覆うように配置される。
このため、ドームスイッチ３１の表面のうち円環シート８４３によって覆われる領域は、内接着部３４１ａに接着されることがない。このため、ドーム部３１ｂのうち接着部３４１で拘束されない領域、つまり、接着部３４１よりも外側の領域は、拘束されない状態を安定して維持できる。そのため、ボタン操作時において、ドーム部３１ｂは、より確実に変形できるようになる。
これにより、ボタン部８３０は、良好なクリック感を、利用者に与えることができる。
【００５６】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５７】
（変形形態）
（１）本実施形態において、カードは、電子部品として表示部を備えるディスプレイカードである例を示したが、これに限定されない。カードは、ドームスイッチ、電子部品を備えるものであればいずれの形態でもよい。例えば、カードは、ドームスイッチの他に電子部品としてＬＥＤを備え発光するものであったり、ドームスイッチの他に電子部品として薄型のスピーカ（音声出力部）を備え音声を出力するものでもよい。
【００５８】
（２）本実施形態において、ドームスイッチは、ドーム部の全周につば部が設けられている例を示したが、これに限定されない。ドームスイッチは、ドーム部の周囲の一部が外側に突出した数本の足部（周縁部）を備えるものでもよい。この場合にも、実施形態と同様な効果を奏する。
【符号の説明】
【００５９】
１０  電子モジュール
１１  電気基板
１２  表示部
２０  カード
３０，２３０，３３０，４３０，５３０，６３０，７３０，８３０  ボタン部
３１  ドームスイッチ
４０，３４０，４４０，５４０  カバー
４１，２４１，３４１，４４１，５４１  内接着部
４２，３４２，４４２，５４２  外接着部
３４１ａ  接着部
３４３，８４３  円環シート
【図１】
0005644980.tif 000002
【図２】
0005644980.tif 000003
【図３】
0005644980.tif 000004
【図４】
0005644980.tif 000005
【図５】
0005644980.tif 000006
【図６】
0005644980.tif 000007
【図７】
0005644980.tif 000008
【図８】
0005644980.tif 000009
【図９】
0005644980.tif 000010
【図１０】
0005644980.tif 000011
【図１１】
0005644980.tif 000012
【図１２】
0005644980.tif 000013